(57)【要約】【目的】デジタルカメラで撮影された画像を簡便に印刷することができる安価なインクジェット記録装置を提供すること。【構成】デジタルカメラに対して双方向通信手段を持つインクジェット記録装置において、デジタルカメラの機能を操作する操作部を有し、該デジタルカメラで記録されている画像情報と記録時の情報を該デジタルカメラから取り出し、記録装置に設けられた操作部で操作し、操作情報に基づきデジタルカメラの表示部に表示する。この場合、インクジェット記録装置は、デジタルカメラの表示部を記録装置の操作部を操作する方向に向けて該デジタルカメラの設置角度調節が可能な設置部を有する。又、デジタルカメラを記録装置に設置した際に、該デジタルカメラに電力を供給する手段を有する。【選択図】　　　図１
2004135116.tif 000002
【特許請求の範囲】
【請求項１】
デジタルカメラに対して双方向通信手段を持つインクジェット記録装置において、
デジタルカメラの機能を操作する操作部を有し、該デジタルカメラで記録されている画像情報と記録時の情報を該デジタルカメラから取り出し、記録装置に設けられた操作部で操作し、操作情報に基づきデジタルカメラの表示部に表示することを特徴とするインクジェット記録装置。
【請求項２】
デジタルカメラの表示部を記録装置の操作部を操作する方向に向けて該デジタルカメラの設置角度調節が可能な設置部を有することを特徴とする請求項１記載のインクジェット記録装置。
【請求項３】
デジタルカメラを記録装置に設置した際に、該デジタルカメラに電力を供給する手段を有することを特徴とする請求項１記載のインクジェット記録装置。
【請求項４】
デジタルカメラで記録されている画像情報と記録時の情報を該デジタルカメラから取り出し、予め記録装置に設定している情報に基づき該デジタルカメラの画像記録時の情報を記録画像と同時に印刷することが可能なインクジェット記録装置において、
前記デジタルカメラの画像記録時の情報に対して、撮影位置情報と地図情報で方向、焦点距離で地名を表示、印刷することを特徴とする請求項１記載のインクジェット記録装置。
【請求項５】
データを保存する記憶部又は記録メディアに保存する記録部を有するインクジェット記録装置において、デジタルカメラで記録されている画像情報と記録時の情報を該デジタルカメラから取り出し、該操作部で操作して印刷した操作情報と、該画像情報と記録時の情報とを合わせて記憶部に又は記録メディアに保存することを特徴とする請求項４記載のインクジェット記録装置。
【発明の詳細な説明】
【０００１】
【発明の属する技術分野】
本発明は、デジタルカメラの画像を印刷するインクジェット記録装置に関するものである。
【０００２】
【従来の技術】
近年、デジタルカメラの進歩が著しく、画素数が１００万〜５００万画素のものが実用化されてきた。デジタルカメラの画素数の増大に伴い画像データの量が増大したが、パソコンの機能が向上し、こうした膨大な画像データを処理することが可能となった。
【０００３】
又、インクジェット記録装置のフルカラー・高画質化が進み、銀塩写真と同等の出力が可能になってきた。
【０００４】
更に、機能が向上したパソコンに対して様々なソフトウエアが提供され、例えば、アルバム作成、レタッチ、レイアウト、画像編集等、多岐に亘っている。
【０００５】
ここで、デジタルカメラで撮影した画像を記録装置に印刷するときの一般的な手順を示す。
【０００６】
先ず、デジタルカメラから記録メディアを取り出してアダプタに接続し、そのアダプタをパソコンに接続する。パソコン上で、データを吸い上げるアプリを起動し、そのアプリ内でデータの吸い上げを指示し、必要に応じて編集アプリを利用して画像を編集する。記録装置を起動し、アプリ内から印刷する画像を選択して印刷指示をする。そして、必要に応じて画像データや印刷データをパソコンに保存し、記憶メディアの情報を削除する。
【０００７】
デジタルカメラで撮影した画像を印刷するのにパソコンを立ち上げ、又、操作が複雑となり、デジタルカメラの画像を直接印刷する記録装置が考案された。
【０００８】
【発明が解決しようとする課題】
しかしながら、上記従来例においては以下の問題があった。
【０００９】
即ち、デジタルカメラで撮影した画像を記録装置で直接印刷する際に記録装置の表示部が貧弱で、どんな画像が出力されるのかが分からなかったりする。又、撮影の日付の記入、印刷レイアウト等、印刷してみないと分からない場合があった。
【００１０】
一方、デジタルカメラで予め画像に印刷する情報等入力する手段を持つものもある。例えば、特開２０００−２５３３４３がある。又、例えば、特開２０００−２４４７９２のように、記録装置の状態の情報をデジタルカメラに表示させるものもある。
【００１１】
しかしながら、印刷に伴う設定をデジタルカメラで行う場合、携行性の点で、デジタルカメラは大きさや重さに制限があるために操作性に難点があった。大きさの制限から操作ボタンの数や大きさに制限を受け、操作ボタンが押しにくかったり、操作ボタンを減らし操作メニューの階層化して対応したり、複数の操作ボタンを同時に押して操作する対応をしてきた。
【００１２】
本発明は上記問題に鑑みてなされたもので、その目的とする処は、デジタルカメラで撮影された画像を簡便に印刷することができる安価なインクジェット記録装置を提供することにある。
【００１３】
【課題を解決するための手段】
上記目的を達成するため、本発明は、デジタルカメラに対して双方向通信手段を持つインクジェット記録装置において、デジタルカメラの機能を操作する操作部を有し、該デジタルカメラで記録されている画像情報と記録時の情報を該デジタルカメラから取り出し、記録装置に設けられた操作部で操作し、操作情報に基づきデジタルカメラの表示部に表示することを特徴とする。
【００１４】
【発明の実施の形態】
以下、図面を参照して本発明を具体的に説明する
図１は本発明に係るインクジェット記録装置と接続するデジタルカメラを示す概念斜視図である。
【００１５】
図１において、１はインクジェット記録装置、２はデジタルカメラ、３はデジタルカメラの表示部、４はインクジェット記録装置１の操作部、５はデジタルカメラ２用の設置台、６はデジタルカメラ２と双方向通信を行うコネクタ部、７はデジタルカメラ２へ電力を供給するコネクタ部、８はデジタルカメラアタッチメント、９は印刷用紙挿入口、１０は印刷された用紙の排出口、１１はインク交換用カバー、１２はインクジェット記録装置の電源コード、１３はインクジェット記録装置からパソコンへの接続コード、１４は記録メディアの挿入口である。
【００１６】
図２及び図３は設置台５下部の上面図である。
【００１７】
インクジェット記録装置１に設けられたガイドボス１７に嵌合された外周に凹凸が設けられた回転部材１５上部に設置台５連結されている。回転部材１５の外側に弾性部材で構成されている係止部材１６がインクジェット記録装置１に設けられている。係止部材１６と回転部材１５によって設置台５は図中回転方向の任意の位置で係止することが可能である。尚、回転部材１５の外周は凹凸を特に設ける必要はなく、例えば回転部材１５と当接する係止部材の部位に摩擦部材１８を設けても良い。
【００１８】
図４は設置台５の断面図である。
【００１９】
設置台５は、ボス２１とレバー２２を持ち、ボス２１を中心に回転可能である。回転部材１５に設けられた弾性体１９の先に設けられた摩擦部材２０でレバー２２を押圧し、任意の角度に設置台を傾ける係止すること可能である。従って、設置台５に置かれたデジタルカメラの表示部３が見易い位置に傾きを調節することが可能となる。
【００２０】
図５はデジタルカメラアタッチメント８の構成図である。
【００２１】
インクジェット記録装置１に設けられた入出力部１と電力供給部からコネクタ２３で結線されている。デジタルカメラアタッチメント８に設けられたコネクタ２４にコネクタ２３が接続される。デジタルカメラアタッチメント８内で、再び電力供給と入出力１に分配されてそれぞれがデジタルカメラ２と双方向通信を行うコネクタ部６とデジタルカメラ２へ電力を供給するコネクタ部７とに繋がっている。デジタルカメラ１は、入出力部のコネクタ部２５と充電制御部の電力コネクタ部２６を持ち、該デジタルカメラ２がインクジェット記録装置１にセットされると、コネクタ部６とコネクタ部２５、コネクタ部７とコネクタ部２６がそれぞれ接続される。
【００２２】
ここで、デジタルカメラアタッチメント８は、インクジェット記録装置１の設置台５に設けられているが、着脱可能で、デジタルカメラのコネクタ部の位置や大きさ等が異なる場合でも、デジタルカメラアタッチメント８を交換することによって種々のデジタルカメラに対応することが可能となる。
【００２３】
図６は本発明に係るインクジェット記録装置１と接続するデジタルカメラ２の概念ブロックである。
【００２４】
先ず、本発明に係るインクジェット記録装置１と接続するデジタルカメラ２について説明する。
【００２５】
デジタルカメラ２は、機能的に撮影部、表示部、操作部、制御部、記録部、入出力部、充電制御部及び充電池部を有している。
【００２６】
上記制御部は、各機能部を制御するもので、マイクロプロセッサとメモリ等で構成され、内部には時計とカレンダー機能を有している。
【００２７】
充電制御部及び充電池部は、各機能部へ電力の供給を行っており、制御部より充電池の電チェックを行う必要があると判断したときは、外部から充電制御部電力供給をされていると充電制御部より充電池部に充電され、充電が完了すると充電制御部からの充電を止める。外部から充電制御部電力供給をされているときにデジタルカメラを使用するときは、充電池部の電力を使用せず、外部からの電力を使用する構成になっている。
【００２８】
撮影部は、レンズ、絞り、ＡＦセンサー、ＡＥセンサー、撮像素子等から構成されており、各種センサー等の情報に基づきピント合わせや絞り制御等、制御部に従って動作させて撮像する。
【００２９】
操作部は、シャッター、ズーム、電源、各種設定用ボタン等から構成されている。これらのボタン操作を制御部が認識して各種操作を各機能部へ指示される構成になっている。
【００３０】
表示部は、液晶等で構成されており、操作部の押されたボタンを制御部が認識して制御部より、撮影する画像や撮影した画像の確認や各種設定を表示する構成になっている。
【００３１】
センサー部は、デジタルカメラが置かれた状態等を感知するもので、従来公知のＧＰＳ（緯度、経度センサー）、標高を検出する高度計、周囲温度を検出する温度計、撮影時のカメラの向きを検出する位置センサー等がある。
【００３２】
音声入力部は、撮影時音声を入力するものである。
【００３３】
記録部は、制御部の指示に従って撮影部での画像情報を記録メディアに記録するもので、このとき、撮影時の各種情報、例えば、日時、日付、カメラの向き、撮影位置、音声情報等が設定に従って画像情報を合わせて記録メディアに記録する。
【００３４】
入出力部は、デジタルカメラを外部から操作するものであり、デジタルカメラの電源のオンオフ、表示部への表示情報の入力、記録メディアへアクセスして画像情報と記録時の情報の出力や記録メディアのデータの消去、書き換えに使用する。
【００３５】
次に、本発明に係るインクジェット記録装置について説明する。
【００３６】
本発明に係るインクジェット記録装置は、機能的に、印刷部、操作部、制御部、記録部、記憶部、入出力部１、入出力部２、電力出力部及び電源部を有している。
【００３７】
制御部は、マイクロプロセッサとメモリ等で構成されており、各機能部を制御する。
【００３８】
電源部は、外部のＡＣ電源より電力の供給を受け、本発明に係るインクジェット記録装置の各機能部で必要な電圧に変換して各機能部へ電力の供給を行っている。
【００３９】
電力供給部は、デジタルカメラに電力を供給するコネクタ部である。制御部が、入出力部１よりデジタルカメラが装着の有無を検出し、デジタルカメラが装着された場合のみ電力出力を供給する構成を採る。更に、予め設定したデータに基づき、接続されたデジタルカメラの仕様を検出し、適正な出力電圧・電力に変更して電力供給をする構成を採っても良い。又、電力仕様が不明なデジタルカメラが装着されたときは、電力を供給しない構成を採っている。
【００４０】
印刷部は、記録用紙を挿入又は保管する場所を有し、印刷時には、インクジェットヘッドがある位置まで記録用紙を搬送する手段を持ち、記録用紙にインクを吐出して印刷を行い、印刷が終了した用紙を排出する。
【００４１】
操作部は、複数のキーの配列から構成されている。電源、インクジェット記録装置に関する各種設定用キー、デジタルカメラの画像の印刷設定キー、デジタルカメラとのデータ入出力キー、データの保存の設定キー等から構成されている。これらのキー操作を制御部が認識して各種操作を各機能部へ指示される構成になっている。
【００４２】
記録部は、制御部から指示された情報を記録メディアに記録し、又、制御部の指示により、記録された情報の読み出しを行う。尚、記録メディアとしては、ＣＤ−Ｒ、ＤＶＤ等がある。
【００４３】
記憶部は、制御部から指示された情報を記憶し、記録された情報の読み出しを行う。通常、記憶部はなくても良いが、ハードディスクを使用し、交換可能なものを使用すると更に便利になる。
【００４４】
入出力部１は、デジタルカメラとの情報の受け渡し部で、制御部の指示により受け渡しされた情報は、制御部へ送られて処理される。受け渡しする情報としては、例えばデジタルカメラとインクジェット記録装置との仕様の確認情報、デジタルカメラとインクジェット記録装置との状態（ステータス）の確認情報、デジタルカメラの電源のオンオフ、デジタルカメラの表示部への表示情報、デジタルカメラの記録メディアへアクセスして画像情報と記録時の情報、デジタルカメラの記録メディアへのデータの消去、書き換え情報等がある。
【００４５】
入出力部２は、従来公知のパソコンとの情報の受け渡し部で、セントロインターフェースやＵＳＢ等で構成されており、ホストからの印刷命令を入出力部を介して通常の記録装置として記録は可能である。
【００４６】
次に、デジタルカメラで撮影された画像を本発明に係るインクジェット記録装置での操作について説明する。
【００４７】
従来公知の収納されている全て画像を印刷したり、インデックスを印刷したり、気に入った画像のみを印刷することは、本発明に係るインクジェット記録装置でも可能である。
【００４８】
通常、銀塩写真の場合は、フィルム内の撮影した全ての画像をプリントしてアルバムに収納する。アルバムとして、簡易アルバムとオリジナルアルバムがある。簡易アルバムは、透明の袋に写真を１枚ずつ入れて収納し、オリジナルアルバムは、各ページに任意に写真を並べて収納する。ここで、簡易アルバムの場合、カメラの横にして撮影したものは良いが、縦にして撮影した場合に収納された写真が横向きになって見にくい。オリジナルアルバムは、人が写真の構図を見て縦にしたり横にしたりしてレイアウトするためとても見易いが手間が掛かる。
【００４９】
一方、デジタルカメラで撮影した画像を印刷する際、１枚の印刷用紙に複数枚の写真画像が印刷することが容易であるため、簡単にオリジナルアルバムと同じレイアウトが可能である。
【００５０】
しかしながら、人が１枚１枚画像を見て縦、横の判断をして並べるのは、やはり手間である。ここで、各撮影画像のカメラの向きを画像データと合わせて保存することが考案された。本発明に係るインクジェット記録装置で、１枚に６画像をレイアウト印刷する例として、図７はカメラ向き補正をしない場合、図８はカメラ向き補正をした場合である。
【００５１】
本発明に係るインクジェット記録装置では、１枚に複数枚印刷するレイアウト印刷の場合、デフォルトでカメラ向き角度の補正を行い、水平と鉛直方向に対して例えば許容角度±１０度以内はそれぞれ水平、鉛直として印刷を行う。図９のＡ画像の場合、撮影時の傾き角度を判定し、許容角度以内であれば、図９のＢ画像の印刷を行う、即ち水平と鉛直方向に合わせて印刷を行う。尚、キー操作で許容角度を変更したり、角度補正を行わないように設定したりすることも可能である。
【００５２】
又、図７は縦横にレイアウト可能な大きさに各画像の印刷サイズを設定しているが、図１０に示すように、横置きは大きく、縦置き（Ａ１，Ａ４）は小さくするレイアウトにすることも可能である。又、同一ページに２枚の縦置きがある場合、図１１に示すようにレイアウトをすることも可能である。特に、図１２に示すレイアウトは、各画像の印刷サイズを大きくし、且つ、１ページ内に図１１に示すレイアウトよりも効率的に使用することが可能となる。
【００５３】
次に、撮影の日付、時刻やその他の情報の印刷について説明する。
【００５４】
インデックス印刷の場合は、印刷サイズが小さいため、図１３に示すように画像の外部に撮影の日付、時刻やその他の情報を印刷する。レイアウト印刷や用紙１枚に１画像の印刷する場合、図１３に示すように画像の外部又は図１４に示すように画像内部に撮影の日付、時刻やその他の情報を印刷する。特に、図１４に示した場合、図中のＡ，Ｂ，Ｃ，Ｄ等、任意の位置に一括若しくは個々に選択することができる。
【００５５】
又、文字を色に関しても、画像の外部に撮影の日付、時刻やその他の情報を印刷する場合は、通常、黒色を使用する。画像内部に撮影の日付、時刻やその他の情報を印刷する場合は、任意の文字色を選択して使用したり、文字の周囲を白抜きにして黒色や他の色を選択して使用したり、背景色を計算しその補色を使用したりする。
【００５６】
撮影時の情報の１つとして、撮影位置情報の処理について説明する。
【００５７】
デジタルカメラでＧＰＳ（Ｇｌｏｂａｌ　Ｐｏｓｉｔｉｏｎｉｎｇ　Ｓｙｓｔｅｍ　）等を利用して、撮影位置情報を記録する場合がある。本発明に係るインクジェット記録装置で撮影位置情報をそのまま印刷することも可能であるが、地図ソフトとリンクして撮影地の地名を印刷することが可能である。例えば、地図ソフト内で観光地やポイントとなる場所の名称を指定してその情報を印刷することが可能である。又、地図上の位置と、撮影時の方角、焦点距離等の情報を合わせてその対象物を地図から算出して印刷することも可能となる。
【００５８】
次に、本発明の操作の基本フローについて説明する。
【００５９】
図１５は基本フローである。先ず、デジタルカメラを双方向通信用コネクタ部と電力供給用コネクタ部を記録装置のアタッチメントにセットし、デジタルカメラの表示部が見易い位置に記録装置の設置台を調節する。セットが完了すると、記録装置に設けられたスタートキーを押す。記録装置は、デジタルカメラに記録された画像情報と撮影時の情報を読み込み、記録装置の記録部に記録し、全て完了すると、記録装置より、デジタルカメラの表示部に保存が完了した表示をさせる。
【００６０】
次に、デジタルカメラの表示部と記録装置の操作部を使用して前述した種々の印刷の設定を行い、記録装置は印刷を行う。印刷が終了すると、デジタルカメラの表示部に印刷が完了した表示をさせ、印刷が完了を確認し、記録装置の操作部を操作し、印刷時に設定した情報を画像情報、即ち画像加工情報と関連付けて記録装置の記録部に記録し、デジタルカメラに記録された画像情報と撮影時の情報を消去し、デジタルカメラの表示部に操作が終了した表示をさせて終了する。このときに保存した情報の概念図を図１６に示す。
【００６１】
【発明の効果】
以上の説明で明らかなように、本発明によれば、印刷の設定の表示をデジタルカメラの表示を使用することで、記録装置のコストを抑えつつ、複雑な印刷設定を容易に行うことが可能となった。又、携帯性を重視したデジタルカメラでの操作キーは小さくなって操作しにくいが、印刷設定用のキーを持つ必要がないため、小型化が容易となった。
【００６２】
一方、本発明に係るインクジェット記録装置は、デジタルカメラに電源供給が可能なことにより、印刷設定時、印刷時、デジタルカメラ内の記録された画像情報と撮影時の情報の保管時にデジタルカメラの充電池を使用せず、デジタルカメラの充電が可能となり、別途デジタルカメラの充電を行う必要がなくなった。
【００６３】
又、印刷設定の情報を保存することにより、後に、再度印刷したい場合、容易に印刷が可能となった。印刷設定された画像を保存すると保存に大きな領域が必要となるが、設定情報のみを保存し、画像情報と関連付けて保存することにより大幅に記録保存領域を節約することが可能となった。更に、オリジナル画像には加工を加えないため、他の画像処理を行うことも可能である。不用意にオリジナル画像情報に画像処理した情報を上書きしてオリジナル画像を消去することが皆無となる。
【００６４】
又、アプリケーションソフトのビューア等で、記録装置で保存した画像をＣＲＴ等で見るとき、印刷時に設定した情報を合わせて呼び出すことで、印刷と同じ画像、例えば、レイアウトされた画像、撮影情報を画像内に入れ込んだ画像等を見ることが可能である。
【図面の簡単な説明】
【図１】本発明に係るインクジェット記録装置の全体構成を示す模式的斜視図である。
【図２】本発明に係るインクジェット記録装置の設置台下部の上面図である。
【図３】本発明に係るインクジェット記録装置の設置台下部の上面図である。
【図４】本発明に係るインクジェット記録装置の設置台の断面図である。
【図５】デジタルカメラアタッチメントの構成図である。
【図６】本発明に係るインクジェット記録装置とデジタルカメラの構成図である。
【図７】印刷レイアウト例を示す図である。
【図８】印刷レイアウト例を示す図である。
【図９】印刷レイアウト例を示す図である。
【図１０】印刷レイアウト例を示す図である。
【図１１】印刷レイアウト例を示す図である。
【図１２】印刷レイアウト例を示す図である。
【図１３】印刷レイアウト例を示す図である。
【図１４】印刷レイアウト例を示す図である。
【図１５】本発明のに係るインクジェット記録装置の操作の基本フローである。
【図１６】保存した情報の概念図である。
【符号の説明】
１　　インクジェット記録装置
２　　デジタルカメラ
３　　デジタルカメラの表示部
４　　操作部
５　　デジタルカメラ用の設置台
６　　デジタルカメラと双方向通信を行うコネクタ部
７　　デジタルカメラへ電力を供給するコネクタ部
８　　デジタルカメラアタッチメント
【図１】
2004135116.tif 000003
【図２】
2004135116.tif 000004
【図３】
2004135116.tif 000005
【図４】
2004135116.tif 000006
【図５】
2004135116.tif 000007
【図６】
2004135116.tif 000008
【図７】
2004135116.tif 000009
【図８】
2004135116.tif 000010
【図９】
2004135116.tif 000011
【図１０】
2004135116.tif 000012
【図１１】
2004135116.tif 000013
【図１２】
2004135116.tif 000014
【図１３】
2004135116.tif 000015
【図１４】
2004135116.tif 000016
【図１５】
2004135116.tif 000017
【図１６】
2004135116.tif 000018